(57)【特許請求の範囲】
【請求項１】
少なくとも１つのコンピュータインターフェースカードをシャーシに固定するためのインターフェースカード固定装置であって、
第１方向へ前記シャーシの側壁から延出する第１フランジと、
前記第１フランジに摺動可能に結合されたストッパ部材と、を備え、
前記ストッパ部材は、
第１シート体と、 
前記第１シート体と間隔を有する第２シート体と、
前記第１シート体と前記第２シート体とを接続する接続部と、
前記第１シート体に開口され、長軸方向が前記第１方向に互いに平行する少なくとも１つのシュート部と、
前記シュート部内に位置し、前記第１フランジの１つの面に固定された少なくとも１つの位置規制コラムとを備え、
前記ストッパ部材が前記第１フランジに前記第１方向と反対の第２方向へ摺動する際、前記コンピュータインターフェースカードのストッパシートが前記ストッパ部材と前記第１フランジとの間に位置が規制され、
前記ストッパ部材が前記第１フランジに前記第２方向へ摺動した後、前記第１シート体が前記コンピュータインターフェースカードの前記ストッパシートと前記第１フランジの前記面を被覆し、前記第２シート体が前記第１フランジの前記第１シート体に対向する他面を被覆する
ことを特徴とするインターフェースカード固定装置。
【請求項２】
前記位置規制コラムは、
ナットと、
第１部分と前記第１フランジの前記面に固定された第２部分を備えるポストと、を備え、
前記第１部分が前記ナットと前記第２部分とを接続し、前記シュート部内に位置し、前記第１部分の口径が前記第２部分の口径よりも大きい請求項１に記載のインターフェースカード固定装置。
【請求項３】
前記ストッパ部材は、前記ポストの前記第２部分を収容するように前記第１フランジの前記面から露出する、対向に設置されたねじ穴と、前記第２シート体に当接するように前記第１フランジの前記他面から突出する突き当て部と、を含み、前記第１シート体に貫通設置された少なくとも１つのねじスリーブを更に備える請求項２に記載のインターフェースカード固定装置。
【請求項４】
前記第１フランジの前記面に突設される第２フランジと、
前記第１シート体を摺動可能に収容するように前記第２フランジに位置する貫通開口と、を更に備える請求項１乃至請求項３のいずれか１つに記載のインターフェースカード固定装置。
【請求項５】
側壁と第１方向へ前記側壁から延出する第１フランジとを含むシャーシと、
前記シャーシ内に位置し、前記第１フランジに当接するストッパシートを含む少なくとも１つのコンピュータインターフェースカードと、
前記第１フランジに摺動可能に結合されたストッパ部材と、を備え、
前記ストッパ部材は、
第１シート体と、
前記第１シート体と間隔を有する第２シート体と、
前記第１シート体と前記第２シート体とを接続する接続部と、
前記第１シート体に開口され、長軸方向が前記第１方向と互いに平行する少なくとも１つのシュート部と、
前記シュート部内に位置し、前記第１フランジの１つの面に固定された少なくとも１つの位置規制コラムと、を備え、
前記ストッパ部材が前記第１フランジに前記第１方向と反対の第２方向へ摺動する際、前記コンピュータインターフェースカードの前記ストッパシートがちょうど前記ストッパ部材と前記第１フランジとの間に位置が規制され、
前記ストッパ部材が前記第１フランジに前記第２方向へ摺動する際、前記第１シート体が前記コンピュータインターフェースカードの前記ストッパシートと前記第１フランジの前記面を被覆し、前記第２シート体が前記第１フランジの前記第１シート体に対向する他面を被覆する
ことを特徴とするサーバユニット。
【請求項６】
前記位置規制コラムは、
ナットと、
第１部分と前記第１フランジの前記面に固定された第２部分とを含むポストと、を備え、
前記第１部分が前記ナットと前記第２部分とを接続し、前記シュート部内に位置し、前記第１部分の口径が前記第２部分の口径よりも大きい請求項５に記載のサーバユニット。
【請求項７】
前記ストッパ部材は、前記ポストの前記第２部分を収容するように前記第１フランジの前記面から露出する、対向に設置されたねじ穴と、前記第２シート体に当接するように前記第１フランジの前記他面から突出する突き当て部と、を含み、前記第１シート体に貫通設置された少なくとも１つのねじスリーブ、を更に備える請求項６に記載のサーバユニット。
【請求項８】
前記シャーシは、
前記第１フランジの前記面に突設される第２フランジと、
前記第１シート体を摺動可能に収容するように前記第２フランジに位置する貫通開口と、を更に備える請求項５乃至請求項７のいずれか１つに記載のサーバユニット。
【発明の詳細な説明】
【技術分野】
【０００１】
本発明は、固定装置に関し、特にサーバユニットのインターフェースカード固定装置に関する。
【背景技術】
【０００２】
一般的に、サーバユニットは、主にマザーボードモジュール、インターフェースカード及び周辺機器を備える。サーバユニットによく使われるＰＣＩ（Ｐｅｒｉｐｈｅｒａｌ Ｃｏｍｐｏｎｅｎｔ Ｉｎｔｅｒｃｏｎｎｅｃｔ）インターフェースカードは、主にマザーボードモジュールの機能を拡張する用途に用いられ、例えばネットワークカード、サウンドカード又はビデオカードなどがあり、ユーザの需要に応じて各種の異なるＰＣＩインターフェースカードに変換されてもよい。マザーボードモジュールには、インターフェースカードを取り付けるための複数のインターフェースカードスロットを備える。ユーザは、インターフェースカードをインターフェースカードスロットに挿し込んで位置決めした後、ねじによる係合により、インターフェースカードがインターフェースカードスロットから脱出しないように、インターフェースカードにおける位置決め板をユニットシャーシの内側壁に固定する。
【発明の概要】
【発明が解決しようとする課題】
【０００３】
しかしながら、ねじ係止によるねじ係止状態を解除する場合には、ねじ回しを使用する必要があり、それに、常に係止又は解除の際にねじが落ちる問題が発生し、落ちたねじは短絡などの問題を引き起こす可能性がある。なお、ユーザは、インターフェースカードを取り付け及び取り外しする過程において、多くの時間を費やす必要があるだけでなく、更にツール（例えばねじ回し）を使用してねじを係止又は外す必要があって、インターフェースカードを着脱する工程が非常に複雑で不便になる。
【０００４】
これに鑑みて、どのように解決方法を開発して上記の欠点及び不便を効果的に改善するかは、当業者にとって、確実に遅滞できない重要な課題の一つである。
【課題を解決するための手段】
【０００５】
これに鑑みて、本発明の１つの目的は、以上の従来技術に言及した不便と欠点を解決し、即ち、迅速かつ便利にインターフェースカードを組み立て又は取り外す態様を提供するためのサーバユニット及びそのインターフェースカード固定装置を提供することにある。
【０００６】
本発明の１つの目的は、ねじ及び係止ツールを使用せずに、インターフェースカードをシャーシに固定することができるサーバユニット及びそのインターフェースカード固定装置を提供することにある。
【０００７】
上記目的を達成するために、本発明の一実施形態によれば、このインターフェースカード固定装置は、少なくとも１つのコンピュータインターフェースカードをシャーシに固定することに用いられる。固定装置は、第１方向へシャーシの側壁から延出する第１フランジと、第１フランジに摺動可能に結合されたストッパ部材と、を備え、ストッパ部材が第１フランジで第１方向と反対の第２方向へ摺動する際、コンピュータインターフェースカードのストッパシートがちょうどストッパ部材と第１フランジとの間に位置が規制される。
【０００８】
本発明の１つ又は複数の実施形態において、ストッパ部材は、第１シート体と、第１シート体と間隔を有する第２シート体と、第１シート体と第２シート体とを接続する接続部と、を備え、第１フランジで第２方向へ摺動する際、第１シート体がコンピュータインターフェースカードのストッパシートと第１フランジの１つの面を被覆し、第２シート体が第１フランジの第１シート体に対向する面を被覆する。
【０００９】
本発明の１つ又は複数の実施形態において、ストッパ部材は、第１シート体に開口され、長軸方向が前記第１方向と互いに平行する少なくとも１つのシュート部と、シュート部内に位置し、第１フランジの面に固定された少なくとも１つの位置規制コラムと、を更に備える。
【００１０】
本発明の１つ又は複数の実施形態において、位置規制コラムは、ナットと、第１部分と第１フランジの面に固定された第２部分とを含むポストと、を備え、第１部分の口径が第２部分の口径よりも大きく、ナットと第２部分とを接続し、シュート部内に位置する。
【００１１】
本発明の１つ又は複数の実施形態において、ストッパ部材は、ポストの第２部分を収容するように第１フランジの面から露出する、対向に設置されたねじ穴と、第２シート体に当接するように第１フランジの他面から突出する突き当て部と、を含み、第１シート体に貫通設置された少なくとも１つのねじスリーブ、を更に備える。
【００１２】
本発明の１つ又は複数の実施形態において、ストッパ部材は、第１シート体の接続部と反対側に凸設されて、第１フランジの第２シート体と反対の方向へ折り曲げる折り曲げリブを更に備える。このため、折り曲げリブは、コンピュータインターフェースカードのストッパシートに当接した後、コンピュータインターフェースカードのストッパシートの第１フランジと反対側の面を被覆するように、第１シート体をガイドする。
【００１３】
本発明の１つ又は複数の実施形態において、ストッパ部材は、第１シート体の第２シート体に向かっている面に位置し、第１フランジの面に接触するようにコンピュータインターフェースカードのストッパシートを押圧するための押圧部を更に備える。
【００１４】
本発明の１つ又は複数の実施形態において、固定装置は、該第１フランジの面に突設される第２フランジと、第１シート体を摺動可能に収容するように第２フランジに位置する貫通開口と、を更に備える。
【００１５】
本発明の別の実施形態によれば、このようなサーバユニットは、側壁と側壁から第１方向へ延出する第１フランジとを含むシャーシと、第１フランジに当接するストッパシートを含む少なくとも１つのコンピュータインターフェースカードと、第１フランジの側壁と反対側に摺動可能に結合されたストッパ部材と、を備える。このため、ストッパ部材は、第１フランジで第１方向と反対の第２方向へ摺動する際、コンピュータインターフェースカードのストッパシートがちょうどストッパ部材と第１フランジとの間に位置が規制される。
【発明の効果】
【００１６】
以上のように、本発明のサーバユニットのインターフェースカード固定装置により、限られた時間内にインターフェースカードの組み立て又は取り外しを加速することができるだけでなく、更にサーバユニットの総修理時間を減少することができるほか、またねじ及び係止ツールを使用する必要がないので、ねじがシャーシ内に落ちることによる不便と問題を避けることができる。
【００１７】
以下の実施形態で上記の説明について詳しく説明し、本発明の技術的方案に対してさらなる説明を提供する。
【図面の簡単な説明】
【００１８】
【図１】本発明の一実施形態のサーバユニットの部分分解図を示す。
【図２Ａ】コンピュータインターフェースカードがマザーボードモジュールに係止されているとき、コンピュータインターフェースカード４００がボードモジュールから外れることを防げる位置にある、図1のストッパ部材の状態を示す。
【図２Ｂ】図２ＡのＡＡ断面図を示す。
【図３Ａ】コンピュータインターフェースカードがマザーボードモジュールから外れることを防げる位置から、図１のストッパ部材が移動した状態を示す。
【図３Ｂ】図３ＡのＢＢ断面図を示す。
【図４】図１に示す位置規制コラムの拡大図を示す。
【図５】本発明の別の実施形態によるサーバユニットの部分断面図を示し、断面位置が図２Ｂと同じである。
【発明を実施するための形態】
【００１９】
以下、図面で本発明の複数の実施例を開示し、明らかに説明するために、下記叙述で多くの実際の細部を合わせて説明する。しかしながら、理解すべきなのは、これらの実際の細部が、本発明を制限するためのものではない。つまり、本発明の一部の実施例において、これらの実際の細部は、必要でないものである。また、図面を簡略化するために、ある従来慣用の構造及び素子は、図面において簡単で模式的に示される。
【００２０】
従来技術に提出した、インターフェースカードを係止又は取り外す際に常にねじがサーバユニット内に落ちることを防止し難い問題を鑑みて、それに対して、本発明は、インターフェースカード固定装置を提出する。インターフェースカード固定装置は、フランジとストッパ部材を備える。ストッパ部材は、フランジに摺動可能に結合され、それにより、フランジで横方向に摺動した後、コンピュータインターフェースカードのストッパシートがストッパ部材とこのフランジとの間に位置が規制される。
【００２１】
このように、本発明のインターフェースカード固定装置は、ねじ及び係止ツールを使用せずに、インターフェースカードをサーバユニットに固定することができるので、ねじがシャーシ内に落ちることによる不便と問題を避けることができるだけでなく、更に限られた時間内にインターフェースカードの組み立て又は取り外しを加速することができ、更にサーバユニットの総修理時間を減少することができる。
【００２２】
図１は、本発明の一実施形態のサーバユニット１０を示す部分分解図である。本実施形態において、図１に示すように、このようなサーバユニット１０は、シャーシ１００と、ストッパ部材２００を備える。シャーシ１００は、複数の側壁１１０を含み、複数の側壁１１０により囲んでなる収納空間１１０Ａを形成する。複数の側壁１１０のうちの１つは、第１方向Ｄ１へ第１フランジ１１１から延出する。ストッパ部材２００は、第１フランジ１１１に摺動可能に結合されることにより、第１フランジ１１１で（Ｘ軸に沿って）直線的に往復摺動することができる。
【００２３】
サーバユニット１０は、マザーボードモジュール３００と複数のコンピュータインターフェースカード４００を更に備える。マザーボードモジュール３００は、収納空間１１０Ａ内に平らに置かれる。マザーボードモジュール３００は、マザーボード３１０と複数のバススロット３２０を備える。バススロット３２０は、間隔を置いてマザーボード３１０に配列され、マザーボード３１０に電気的に接続される。各コンピュータインターフェースカード４００は、回路基板４１０とストッパシート４２０を備える。各回路基板４１０の一側がマザーボードモジュール３００における１つのバススロット３２０に挿し込まれて、回路基板４１０がＸ軸又はＹ軸に移動することを規制する。回路基板４１０の１つの隣接側は、ストッパシート４２０に係止される。ストッパシート４２０は、Ｌ状であり、直線部分４２１と折り曲げ部分４２２を備える。直線部分４２１と折り曲げ部分４２２とは、相互に直交するか又は少なくとも交差する。ストッパシート４２０の直線部分４２１がその中の１つの側壁１１０の内壁に当接し、折り曲げ部分４２２が直線部分４２１に接続し、第１フランジ１１１に当接する。
【００２４】
図２Ａは、コンピュータインターフェースカード４００がマザーボードモジュール３００に係止されているとき、コンピュータインターフェースカード４００がボードモジュール４００から外れることを防げる位置にある、図1のストッパ部材２００の状態を示す。図２Ｂは、図２ＡのＡＡ断面図を示す。図２Ａ及び図２Ｂに示すように、ストッパ部材２００は、第１フランジ１１１で第１方向Ｄ１と反対の第２方向Ｄ２へこれらのコンピュータインターフェースカード４００のストッパシート４２０の折り曲げ部分４２２の直上に摺動する際、いずれのコンピュータインターフェースカード４００が上方（即ちＺ軸に沿う）へバススロット３２０から脱離することを抑制する。このため、これらのコンピュータインターフェースカード４００のストッパシート４２０の折り曲げ部分４２２は、ともにストッパ部材２００と第１フランジ１１１との間に位置が規制される。この際、ストッパ部材２００は、これらのコンピュータインターフェースカード４００をマザーボードモジュール３００に係止して、コンピュータインターフェースカード４００が外れることを防げる位置にある。
【００２５】
図３Ａは、コンピュータインターフェースカード４００がマザーボードモジュール３００から外れることを防止できる位置から、図１のストッパ部材２００が移動した状態を示す。図３Ｂは、図３ＡのＢＢ断面図を示す。図３Ａと図３Ｂに示すように、逆に、ストッパ部材２００は、第１フランジ１１１で第１方向Ｄ１へ摺動して、これらのコンピュータインターフェースカード４００のストッパシート４２０の折り曲げ部分４２２から脱離した後、ストッパ部材２００がこれらのコンピュータインターフェースカード４００のストッパシート４２０の折り曲げ部分４２２の直上に位置しなくなるので、いずれのコンピュータインターフェースカード４００がＺ軸に沿って上へバススロット３２０から脱離し始め、収納空間１１０Ａから取り外すことができる。この際、ストッパ部材２００は、これらのコンピュータインターフェースカード４００を係止して外れることを防げる位置にある。
【００２６】
図１と図２Ｂに戻って、より具体的には、ストッパ部材２００は、横断面がＵ字形であり、第１シート体２１０、第２シート体２２０及び接続部２３０を備える。第２シート体２２０は、第１シート体２１０と間隔を有する。接続部２３０は、第１シート体２１０と第２シート体２２０とを接続する。このため、第１シート体２１０、第２シート体２２０及び接続部２３０は、共に第１フランジ１１１をクランピングするためのクランプ状空間２３０Ｓを定義する。
【００２７】
このように、ストッパ部材２００がこれらのコンピュータインターフェースカード４００を係止して、外れることを防げる位置にあるとき、第１シート体２１０は、第１フランジ１１１の頂面１１１Ｔとストッパシート４２０の折り曲げ部分４２２を被覆し、換言すれば、ストッパシート４２０の折り曲げ部分４２２が第１フランジ１１１と第１シート体２１０との間に位置する。第２シート体２２０は、第１フランジ１１１の底面１１１Ｂを被覆し、第１フランジ１１１の底面１１１Ｂが第１フランジ１１１の頂面１１１Ｔに対向して配置される。
【００２８】
ストッパ部材２００の第１シート体２１０がよりスムーズにこれらのコンピュータインターフェースカード４００のストッパシート４２０の折り曲げ部分４２２の直上に到達して、これらのストッパシート４２０の折り曲げ部分４２２と正面衝突しないために、本実施形態において、ストッパ部材２００は、折り曲げリブ２４０を更に備える。折り曲げリブ２４０は、第１シート体２１０の接続部２３０と反対側に凸設されて、第１フランジ１１１の第２シート体２２０と反対の方向へ折り曲げる。
【００２９】
このため、ストッパ部材２００が第１フランジ１１１で第２方向Ｄ２へ摺動し始めることにより、折り曲げリブ２４０は、これらのコンピュータインターフェースカード４００のストッパシート４２０の折り曲げ部分４２２に当接する。折り曲げリブ２４０は、折り曲げ部分４２２に当接することで摺動方向を変更して、これらのコンピュータインターフェースカード４００のストッパシート４２０の折り曲げ部分４２２に到達し、更にこれらのコンピュータインターフェースカード４００のストッパシート４２０の折り曲げ部分４２２の第１フランジ１１１と反対側の面を被覆するように第１シート体２１０をガイドする。
【００３０】
なお、本実施形態において、図１に示すように、ストッパ部材２００は、２つのシュート部２７０、２つの位置規制コラム２８０及び２つのねじスリーブ２９０を更に備える。この２つのシュート部２７０は、間隔を置いて第１シート体２１０に開口する。シュート部２７０は、上記第１方向Ｄ１と平行する長軸方向（例えばＸ軸）を有する。この２つのねじスリーブ２９０は、間隔を置いて第１シート体２１０に貫通設置されて、各位置規制コラム２８０にそれぞれ対応して配置される。各位置規制コラム２８０は、その中の１つのシュート部２７０を通して、シュート部２７０内に位置し、第１フランジ１１１の頂面１１１Ｔにおけるねじスリーブ２９０内に固定される。位置規制コラム２８０は、ストッパ部材２００が過度に摺動して第１フランジ１１１から完全に脱離することを規制する。
【００３１】
更に、図４は、図１の位置規制コラム２８０の拡大図を示す。本実施形態において、図４に示すように、位置規制コラム２８０は、ナット２８１及びポスト２８２を備える段階ねじである。ポスト２８２は、第１部分２８２Ａと第２部分２８２Ｂを備える。第１部分２８２Ａは、ナット２８１と第２部分２８２Ｂとの間に位置し、直接ナット２８１と第２部分２８２Ｂとを接続する。第１部分２８２Ａの口径Ｐ１は、第２部分２８２Ｂの口径Ｐ２よりも大きい。図３Ｂに示すように、ねじスリーブ２９０の一端には、ねじ穴２９１を有する。ねじ穴２９１は、第１フランジ１１１の頂面１１１Ｔから露出する。
【００３２】
このように、図３Ａと図３Ｂに示すように、位置規制コラム２８０がシュート部２７０の内に組立てられる際、位置規制コラム２８０の第１部分２８２Ａはシュート部２７０内に位置し、位置規制コラム２８０の第２部分２８２Ｂは第１フランジ１１１の頂面１１１Ｔのねじ穴２９１に挿し込まれて、第１フランジ１１１の頂面１１１Ｔに固定される。
【００３３】
なお、図２Ｂと図３Ｂに示すように、ねじスリーブ２９０のねじ穴２９１から離れる他端は、突き当て部２９２であり、即ち、突き当て部２９２とねじ穴２９１は、対向に設置され、且つ第２シート体２２０に当接するように突き当て部２９２が第１フランジ１１１の底面１１１Ｂから突出する。
【００３４】
このように、ストッパ部材２００は、これらのコンピュータインターフェースカード４００を係止する位置にあるとき、第１フランジ１１１の底面１１１Ｂから突出する突き当て部２９２が第２シート体２２０に当接するので、これらのコンピュータインターフェースカード４００を係止して、外れることを防げる位置に一時的に強固に位置することができる。ストッパ部材２００は、振動により予期せずにこれらのコンピュータインターフェースカード４００を係止する位置から離脱せずにコンピュータインターフェースカード４００を係止する。
【００３５】
本実施形態において、図２Ｂに示すように、シャーシ１００は、第２フランジ１１２と貫通開口１１３を更に備える。第２フランジ１１２は、該第１フランジ１１１の頂面１１１Ｔに突設され、より具体的には、第２フランジ１１２は、第１フランジ１１１の頂面１１１ＴからＺ軸方向へ延伸する。貫通開口１１３は、第２フランジ１１２に開口されて、第１シート体２１０が貫通開口１１３を通し、貫通開口１１３に摺動可能に収容される。
【００３６】
このように、ストッパ部材２００がこれらのコンピュータインターフェースカード４００を係止して、外れることを防げる位置にある際、第２フランジ１１２はストッパ部材２００が過度に摺動して収納空間１１０Ａ内に落ちることを規制する。
【００３７】
更に、本実施形態において、図１に示すように、ストッパ部材２００は、切り欠き領域２６０を更に備え、切り欠き領域２６０が第１シート体２１０の接続部２３０と反対する側に開口され、２つのシュート部２７０の間に介在される。切り欠き領域２６０は、これらのコンピュータインターフェースカード４００における部材を干渉しないように、これらのコンピュータインターフェースカード４００に対してスペースを譲ることができる。
【００３８】
図５は、本発明の別の実施形態のサーバユニット１１の部分断面図を示し、断面位置が図２Ｂと同じである。別の実施形態において、図５に示すように、ストッパ部材２０１は、押圧部２５０を更に備える。押圧部２５０は、ストッパ部材２０１の第２シート体２２０に向かっている面に位置する。押圧部２５０は、例えばゴム又はスポンジなどの柔軟な物質であってもよい。
【００３９】
このように、ストッパ部材２０１がこれらのコンピュータインターフェースカード４００を係止して、外れることを防げる位置にあるとき、押圧部２５０がこれらのコンピュータインターフェースカード４００のストッパシート４２０の折り曲げ部分４２２を押圧して第１フランジ１１１に接触する。ストッパ部材２００は、コンピュータインターフェースカード４００を係止する位置に一時的に強固に位置することができるので、振動により予期せずにコンピュータインターフェースカード４００を係止する位置から離脱せずにコンピュータインターフェースカード４００を係止できる。
【００４０】
なお、上記各実施形態において、サーバユニットが複数あるが、本発明は、これに限定されたものではない。サーバユニットが変換可能にサーバキャビネット（図示せず）内に置かれるが、本発明はこれに限定されたものではない。なお、サーバユニットの上記のシャーシは、例えばサーバユニット専用の１Ｕ又は２Ｕのサイズ及び高さを備えるフレーム式シャーシであるが、本発明はこれに限定されたものではない。なお、マザーボードモジュールは、中央制御プロセッサ、グラフィック制御表示ユニット、ネットワークインタフェースユニット、ハードディスクユニット及び複数のメモリユニットなどを更に備える。これらの部材は、マザーボードに位置し、マザーボードに電気的に接続されるが、本発明はこれに限定されたものではない。
【００４１】
最後、本発明の実施形態を前述の通りに開示したが、これは、本発明を限定するものではなく、当業者なら誰でも、本発明の精神と範囲から逸脱しない限り、多様の変更や修正を加えることができ、したがって、本発明の保護範囲は、後の特許請求の範囲で指定した内容を基準とするものである。
【符号の説明】
【００４２】
１０、１１  サーバユニット
１００  シャーシ
１１０  側壁
１１０Ａ  収納空間
１１１  第１フランジ
１１１Ｔ  頂面
１１１Ｂ  底面
１１２  第２フランジ
１１３  貫通開口
２００、２０１  ストッパ部材
２１０  第１シート体
２２０  第２シート体
２３０  接続部
２３０Ｓ  クランプ状空間
２４０  折り曲げリブ
２５０  押圧部
２６０  切り欠き領域
２７０  シュート部
２８０  位置規制コラム
２８１  ナット
２８２  ポスト
２８２Ａ  第１部分
２８２Ｂ  第２部分
Ｐ１  第１部分の口径
Ｐ２  第２部分の口径
２９０  ねじスリーブ
２９１  ねじ穴
２９２  突き当て部
３００  マザーボードモジュール
３１０  マザーボード
３２０  バススロット
４００  コンピュータインターフェースカード
４１０  回路基板
４２０  ストッパシート
４２１  直線部分
４２２  折り曲げ部分
Ｄ１  第１方向
Ｄ２  第２方向
ＡＡ、ＢＢ  断面線
Ｘ、Ｙ、Ｚ  軸
【図１】
0005982453.tif 000002
【図２Ａ】
0005982453.tif 000003
【図２Ｂ】
0005982453.tif 000004
【図３Ａ】
0005982453.tif 000005
【図３Ｂ】
0005982453.tif 000006
【図４】
0005982453.tif 000007
【図５】
0005982453.tif 000008